(57)【特許請求の範囲】
【請求項１】
天面と、内天面とからなる二重天面を有するカートンであって、前記天面には切取線の内側を切り取ってなる蓋部と、前記内天面には前記蓋部と略同形状の内蓋部と、を有し、さらに前記内蓋部は、該内蓋部に形成された折込線を挟んで、前方の内前蓋と、ヒンジ方の内後蓋と、からなる内蓋部であって、前記蓋部および前記内蓋部を開封し、さらに前記内前蓋を前記折込線に沿って手前側に折り込むことにより、印刷を施した前記内前蓋の表面を手前に表示するように前記内前蓋の先端を前記内天面上に立てるカートンであって、
前記蓋部と、前記内後蓋とが、前記ヒンジ付近の貼合部にて貼合されることにより、前記内蓋部が前記蓋部とともに開封されることを特徴とするカートン。
【請求項２】
前記内蓋部に形成された前記折込線の一部に凸形状の切り込みを、前記内前蓋から前記内後蓋にかけて形成することにより、前記折込線に沿って前記内蓋部が折れるとき、前記内前蓋に、前記凸形状の切り込みに沿った凸部が形成されることを特徴とする請求項１記載のカートン。
【請求項３】
前記内蓋部と、前記内天面との一部が、接合部を介して接合されることにより、初期開封時、前記内蓋部が前記蓋部とともに開封する際、前記接合部の破断前には、前記内蓋部は湾曲面を形成しつつ前記折込線に沿って折れ曲がるとともに、前記内前蓋の凸部が起立を開始し、前記凸部が前記蓋部の裏面に接して、さらなる前記蓋部の開封に伴い、前記凸部の先端が蓋部の裏面上を摺動する構成であって、前記蓋部の開封量に伴い変化する、前記凸部の先端と、前記蓋部の裏面と、の接する部分の成す角度が、直角を越えて鋭角となる反転限界において、前記接合部が破断することにより、前記内前蓋が自動的に反転して表面を手前に表示することを特徴とする請求項１乃至２記載のカートン。
【発明の詳細な説明】
【技術分野】
【０００１】
本発明は、天面に形成された切取線の内側を切り取ってなる蓋部を有するカートンに関する。
【背景技術】
【０００２】
従来、カートンの天面の一部を切り取り、開口蓋を形成するカートンが知られている（例えば特許文献１）。しかし、この種のカートンは、開封時に、通常印刷の施されていない裏面が、消費者側に向いてしまい、物足りなさを消費者に与えてしまう欠点がある。例えば、図１４に示すような、カートン５０においては、天面５１の一部を切り取り、開封した蓋部５２の裏面５５には、印刷やコーティングが施されておらず、開封前の印刷が施された表面の印象と、開封後の印刷の施されていない裏面５５との印象が異なり、消費者に失望感を与えてしまう恐れがある。
【０００３】
【特許文献１】特開平０９−００２４５７号公報
【発明の開示】
【発明が解決しようとする課題】
【０００４】
このようなことを防ぐため、蓋部の裏面も表面同様に印刷を施すことが考えられるが、紙の表面と裏面との両面に印刷やコーティングを施すことはコストが高く経済的でない。
また、蓋部の裏面に、印刷が施された別紙の表面を消費者に見えるように、表面を消費者側に向けて、別途紙を貼り付けることが考えられるが、専用の高価な折り機以外の通常の折り機では、別紙を反転させて裏面と裏面とを貼り付けるような作業が困難であるため、通常は、手作業で別紙を一つ一つ蓋部の裏面に貼り付ける必要があり、非効率かつ高コストである。
本発明は、このような課題を解決し、印刷が表面のみの場合であっても、蓋部の裏面に、印刷面が見えるようなカートンを提供することを課題とする。さらには、印刷面が反転して手前に表示する特徴を活かして、消費者に驚きと楽しみを与えることができるカートンを提供することを課題とする。
【課題を解決するための手段】
【０００５】
そこで、これらの課題を解決するため、本発明の請求項１記載の発明は、天面と、内天面とからなる二重天面を有するカートンであって、前記天面には切取線の内側を切り取ってなる蓋部と、前記内天面には前記蓋部と略同形状の内蓋部と、を有し、さらに前記内蓋部は、該内蓋部に形成された折込線を挟んで、前方の内前蓋と、ヒンジ方の内後蓋と、からなる内蓋部であって、前記蓋部および前記内蓋部を開封し、さらに前記内前蓋を前記折込線に沿って手前側に折り込むことにより、印刷を施した前記内前蓋の表面を手前に表示するように内前蓋の先端を内天面上に立てるカートンであって、蓋部と、内後蓋とが、ヒンジ付近の貼合部にて貼合されることにより、内蓋部が蓋部とともに開封されることを特徴とするカートンである。
【０００７】
請求項２記載の発明は、前記内蓋部に形成された前記折込線の一部に凸形状の切り込みを、前記内前蓋から前記内後蓋にかけて形成することにより、前記折込線に沿って前記内蓋部が折れるとき、前記内前蓋に、前記凸形状の切り込みに沿った凸部が形成されることを特徴とする、カートンである。
【０００８】
請求項３記載の発明は、前記内蓋部と、前記内天面との一部が、接合部を介して接合されることにより、初期開封時、前記内蓋部が前記蓋部とともに開封する際、前記接合部の破断前には、前記内蓋部は湾曲面を形成しつつ前記折込線に沿って折れ曲がるとともに、前記内前蓋の凸部が起立を開始し、前記凸部が前記蓋部の裏面に接して、さらなる前記蓋部の開封に伴い、前記凸部の先端が蓋部の裏面上を摺動する構成であって、前記蓋部の開封量に伴い変化する、前記凸部の先端と、前記蓋部の裏面と、の接する部分の成す角度が、直角を越えて鋭角となる反転限界において、前記接合部が破断することにより、前記内前蓋が自動的に反転して表面を手前に表示することを特徴とする、カートンである。
【発明の効果】
【０００９】
本発明の請求項１記載の発明によれば、天面と、内天面とからなる二重天面を有するカートンであって、前記天面には切取線の内側を切り取ってなる蓋部と、前記内天面には前記蓋部と略同形状の内蓋部と、を有し、さらに前記内蓋部は、該内蓋部に形成された折込線を挟んで、前方の内前蓋と、ヒンジ方の内後蓋と、からなる内蓋部であって、前記蓋部および前記内蓋部を開封し、さらに前記内前蓋を前記折込線に沿って手前側に折り込むことにより、印刷を施した前記内前蓋の表面を手前に表示することを特徴とするから、印刷を施した内蓋部の表面を手前に表示することができる。よって、カートン開封時に、消費者に楽しいイメージを与えることができる。
【００１０】
また、前記蓋部と、前記内蓋部とが、ヒンジ付近の貼合部により貼合されることにより、前記内蓋部が前記蓋部とともに開封されることを特徴とするから、蓋部の開封に伴い内蓋部も同時に開封できるとともに、印刷を施した内蓋部の表面を手前に表示することができる。よって、開封後、容易に内蓋部の表面を手前に折り込むことができる。
【００１１】
請求項２記載の発明によれば、前記内蓋部に形成された前記折込線の一部に凸形状の切り込みを、前記内前蓋から前記内後蓋にかけて形成することにより、前記折込線に沿って前記内蓋部が折れるとき、前記内前蓋に、前記凸形状の切り込みに沿った凸部が形成されることを特徴とするから、前記内前蓋の表面の表示面積を大きく取れるとともに、立体的で楽しい形状の表面を表示することができる。
【００１２】
請求項３記載の発明によれば、前記内蓋部と、前記内天面との一部が、接合部を介して接合されることにより、初期開封時、前記内蓋部が前記蓋部とともに開封する際、前記接合部の破断前には、前記内蓋部は湾曲面を形成しつつ前記折込線に沿って折れ曲がるとともに、前記内前蓋の凸部が起立を開始し、前記凸部が前記蓋部の裏面に接して、さらなる前記蓋部の開封に伴い、前記凸部の先端が蓋部の裏面上を摺動する構成であって、前記蓋部の開封量に伴い変化する、前記凸部の先端と、前記蓋部の裏面と、の接する部分の成す角度が、直角を越えて鋭角となる反転限界において、前記接合部が破断することにより、前記内前蓋が自動的に反転して表面を手前に表示することを特徴とするから、蓋部の開封に伴い、印刷を施した内蓋部の表面が自動的に反転して手前に表示することができる。よって、蓋部の開封に伴い、印刷面が突然反転して飛び出すため、消費者に驚きと楽しいイメージを与えることができる。
【００１３】
このように、本発明のカートンは、蓋部の裏面に印刷を施すことなく、蓋部の内蓋が手前に折り返されることにより、内蓋の表面が手前に表示され、表面の印刷が表示されるから、蓋部の裏面にも印刷面が見えるようなカートンを提供することができる。さらには、印刷の施された表面が自動的に反転して飛び出すから、楽しいイメージのカートンを提供することができる。
【発明を実施するための最良の形態】
【００１４】
以下、本発明の実施例について図面を参照しつつ説明する。
図１は、本発明の一例としてのカートン１の全体図である。
このカートン１は、外面が左右前後上下の６面を有するカートン１であって、カートン１の前面１１と天面１０とにかけて、前記前面１１と天面１０との一部を切り取ってなる蓋部１５が形成される。
この蓋部１５の先端部分には、該先端部分を指先で掴み、蓋部を開封するための、把持部１６が形成されている。そして、この把持部１６を、内前面２１に形成された半円形状の切り込み９に挿入することで、蓋部１５を閉封するものである。
特に、カートン１の天面部分は、天面１０と内天面２０とからなる二重天面を有し、さらには、カートンの蓋部は、天面１０に形成される蓋部１５と、内天面２０に形成される内蓋部２５との二重蓋部を有する。そして、前記天面１０に形成された蓋部１５を開封するとともに、前記内天面２０に形成された内蓋部２５を開封して、該内蓋部２５を折れ線３５に沿って手前側（消費者側）に折りこむことにより、印刷を施した内蓋部２５の表面３０を手前に表示する構成である。
【００１５】
詳しくは、図２に示すように、カートン１は、初期開封時に、前記蓋部１５を形成するための切取線７を有する天面１０および前面１１と、そして、左面１２、右面１３、後面１４、底面１８と、の各面がそれぞれ折り線を介して連設されている。また、前記天面１０の内側に二重天面となるように、内天面２０と内前面２１とがさらに連設されている。前記内前面２１には、蓋部１５の閉封時に把持部１６を挿入するための切込部９が形成され、前記内天面２０の略中央部分には、前記蓋部１５より若干小さい形状の内蓋部２５が、接合部２７を介して内天面２０に連設されている。そして、該内蓋部２５の略中央部分には、水平に折込線３５が形成されており、該折込線３５を挟んで前方に内前蓋４１と、ヒンジ側である後方には内後蓋４２とが連設されている。
なお、図２の展開図において、各面はそれぞれ印刷の施された表面を示しており、展開図の裏側は、１色程度の簡易印刷のみ施された裏面となっている。
そして、前記折込線３５に沿って内前蓋４１を手前（消費者側）に折り込むことにより、後述する、内前蓋４１の表面３０を手前に表示する構成である。また、前記蓋部１５と、前記内後蓋４２とは、ヒンジ付近の貼合部３３において互いに貼合されており、蓋部１５の開封に伴い、内蓋部２５も蓋部１５につれて開封するようになっている。
【００１６】
このような展開図から、各面を折り線に沿って折り込み、その後、図示しない糊しろにおいて、各面を貼り合わせて、図３に示すような、立方体のカートン１を形成する。
このカートン１の初期開封時は、蓋部１５先端の把持部１６を掴み、上方へと引き上げることにより、開封を行なう。そして、蓋部１５と内蓋部２５とを開封した内後蓋部２５の内前蓋４１を折れ線３５に沿って手前側に折込むことにより、印刷が施された前記内前蓋４１の表面を、手前側すなわち消費者側に表示する構成である。
【００１７】
以下、実施例１に上記カートンの一例としての、蓋部開封時の構成を示す。
（実施例１）
図４は初期開封直前のカートン１である。先ず、初期開封時、天面１０の切取り線７に沿って、把持部１６を掴んで上方へと持ち上げると、図５に示すように、蓋部１５が開封を開始する。このとき、蓋部１５と内蓋部２５とがヒンジ付近の貼合部３３で接合されており、蓋部１５の開封に伴い、内蓋部２５も共に開封する。そして、図６に示すように、蓋部１５をさらに開封した後、図７に示すように、前記内蓋部２５を折込線３５に沿って手前に折りたたむことにより、内蓋部２５の表面３０が手前に表示される構成である。
【００１８】
このように、カートン１の蓋部１５の開封に伴い、内蓋部２５もともに開封し、内蓋部２５を折込線３５に沿って手前に折り込むことにより内蓋部２５の表面３０を手前に表示することができる。
このとき、図７に示したような、前記表面３０に楽しいイメージの図柄やメッセージ等の印刷を施すことにより、消費者に楽しいイメージを与えることができる。
【００１９】
また、上記構成に加えて、内蓋部２５と、内天面２０との一部を接合部２７により接合した場合、初期開封時、前記蓋部１５の一定量の開封により、後述する、前記内蓋部２５が反転限界を超えると、前蓋部２５が折り線３０に沿って自動で折り返されて、内蓋部２５の表面３０すなわち前蓋部４１の表面３０を手前に表示することが可能である。
【００２０】
この場合、図８に示すように、蓋部を有する天面が二重天面となるように、前記天面１０の内側には、上述同様の、内天面２０が連設されるとともに、前記内蓋部２５には、該内蓋部２５を前後略二等分する折り線が形成され、この折込線３５を挟んで前方に内前蓋４１と、ヒンジ部分に近い内後蓋４２とが形成される。特に、内天面２０に形成された内前蓋４１と前記内天面２０との一部とが、接合部２７により接合されるとともに、前記折込線３５の略中央部分には、内前蓋４１から内後蓋４２にかけて凸形状かつ半円形状の切り込み４０が形成されている。
【００２１】
このような、展開図により、カートン１を組み立て、開封した場合の一例を以下、実施例２に示す。
（実施例２）
このカートン１の初期開封時、前記蓋部１５の把持部１６を掴んで上方へと持ち上げると、図９に示すように、蓋部１５が天面１０の切取部７から切り取られるとともに開封する。このとき、蓋部１５と内蓋部２５とが、図示しないヒンジ付近の貼合部３３で接合されており、蓋部１５の開封に伴い、内蓋部２５も共に開封する。このとき、内天面２０と、前蓋部４１とが接合部２７により接合されており、このため、内蓋部２５は、蓋部１５との貼合部３３と、内天面２０との接合部２７と、の間である中央部分が上方向に凸形状の湾曲面Ｃを形成する。
【００２２】
そして、さらに蓋部１５を開封すると、図１０に示すように、前記内蓋部２５の湾曲形状Ｃが大となりつつ、前記折込線３５を頂点に、内蓋部２５の内前蓋４１と、内後蓋４２とそれぞれ山の傾斜面を形成するとともに、特に、内前蓋４１の折込線３５部分が、前記折込線３５の一部の切り抜きに沿った凸部３７を形成し始める。
【００２３】
さらに、蓋部１５を開封すると、図１１に示すように、前記内蓋部２５がさらに湾曲して、ついには折込線３５を頂上とする略三角形状の山となる。このとき、前記内蓋部２５の内前蓋４１に形成される前記凸部３７は、前記蓋部１５の裏面に沿って摺動する。そして、前記凸部３７の先端と、前記蓋部１５の裏面との接する部分の角度が、蓋部１５の開封に伴い、徐々に鈍角から直角となり、さらには、鋭角となった時点で、前記凸部３７が、前記内蓋部２５の内前蓋４１を反転させる反転限界に達する。この反転限界に達した後において、前記接合部２７が破断することにより、図１２に示すように、内前蓋４１の表面３０が折込線３５に沿って自動的に反転して手前に表示されることとなる。
【００２４】
前記反転限界とは、蓋部の開封に伴い、前記内前蓋４１の表面が手前に表示されるように反転するための閾値であり、詳しくは、図１３（ａ）に示すように、まず、蓋部１５の開封に伴い、内蓋部２５が開封を開始し、内前蓋４１と内後蓋４２とを斜辺とし、前記折り線３５を頂点とする略三角形状の湾曲面を形成する。このとき、前記折り線３５に形成された切り込みに沿って、凸部３７が形成される。このとき、蓋部１５と内前蓋４１の凸部３７との成す角度θは、鈍角である。
さらに、蓋部を開封すると、図１３（ｂ）に示すように、前記内蓋部２５がさらに三角形状を形成しつつ、前記凸部３７の先端が、蓋部１５の裏面に接するとともに、さらなる、蓋部を開封に伴い、凸部３７の先端が、前記蓋部１５の裏面上を摺動する。このとき、蓋部１５と内前蓋４１の凸部３７との成す角度θは、略直角である。
そして、図１３（ｃ）に示すように、凸部３７の先端と、前記蓋部１５の裏面との成す角度θが直角を越えて、鋭角を成すとき（反転限界）、内前蓋４１の接合部２７が破断するように構成すると、前記凸部３７先端を支点として、前記内前蓋４１が折れ線３５に沿って手前側に反転することとなる。この、折れ線３５は、内前蓋の開封方向に垂直に形成された例を示したが、開封方向に斜めに形成しても、同様に内蓋部を反転させることが可能である。
【００２５】
このように、蓋部の開封に伴い、該蓋部の内側に形成された内蓋部が持ち上がるとともに、内蓋部と、内天面と、が接合部において接合され、蓋部の一定量の開封により、内蓋部が前記反転限界を超えたときに、前記接合部が破断することにより、内蓋部が自動的に反転することにより、印刷が施された内蓋部の表面が手前に表示される構成である。
【００２６】
このように、本発明によれば、カートン１の蓋部の開封に伴い、内蓋部もともに開封し、内蓋部を折り線に沿って手前に折り込むことにより内蓋部の表面を手前に表示することができる。また、上記構成に加えて、内蓋部と、内天面との一部を接合部により接合した場合、初期開封時、前記蓋部の一定量の開封により、前記内蓋部を折り線に沿って自動で折り返して、内蓋部の表面を手前に表示することが可能であるから、蓋部の裏面にも印刷面が見えるようなカートンを提供することができる。また、二重蓋構造により内蓋部が自動的に折り返される構成により楽しいイメージのカートンを提供することができる。
【図面の簡単な説明】
【００２７】
【図１】本発明のカートンを示す全体斜視図である。
【図２】本発明のカートンの展開図である。
【図３】カートンの閉封時を示す全体斜視図である。
【図４】カートンの開封時を示す説明図である。
【図５】カートンの開封時を示す説明図である。
【図６】カートンの開封時を示す説明図である。
【図７】カートンの開封時を示す説明図である。
【図８】本発明の別の例を示すカートンの展開図である。
【図９】カートンの開封時を示す説明図である。
【図１０】カートンの開封時を示す説明図である。
【図１１】カートンの開封時を示す説明図である。
【図１２】カートンの開封時を示す説明図である。
【図１３】カートン開封時の反転限界を示す説明図である。
【図１４】従来のカートンを示す全体斜視図である。
【符号の説明】
【００２８】
１  カートン
７  切取部
９  切り込み
１０  天面
１１  前面
１２  左面
１３  右面
１４  後面
１５  蓋部
１６  把持部
１８  底部
２０  内天面
２１  内前面
２５  内蓋部
２７  接合部
３３  貼合部
３５  折込線
３７  凸部
４０  切り込み
４１  内前蓋
４２  内後蓋
Ｃ  湾曲面（湾曲形状）
【図１】
0004848768.tif 000002
【図２】
0004848768.tif 000003
【図３】
0004848768.tif 000004
【図４】
0004848768.tif 000005
【図５】
0004848768.tif 000006
【図６】
0004848768.tif 000007
【図７】
0004848768.tif 000008
【図８】
0004848768.tif 000009
【図９】
0004848768.tif 000010
【図１０】
0004848768.tif 000011
【図１１】
0004848768.tif 000012
【図１２】
0004848768.tif 000013
【図１３】
0004848768.tif 000014
【図１４】
0004848768.tif 000015